(57)【要約】      （修正有）【課題】入浴時、筋肉が温熱効果によって柔らかくなった筋肉に指圧を施す指圧具の提供。【解決手段】平面状又は人体の背面に沿った凹面状の本体１に本体の中心を境に対で複数個の長球形の指圧突起３を列設した本考案の浴槽指圧具を浴槽の壁面に吸盤で圧着し、入浴時に使用する指圧具。【選択図】図１
0003119034.tif 000002
【実用新案登録請求の範囲】
【請求項１】
本体１と同時に抽出成型された指圧突起収容体２に惰球の形成を有する指圧突起３を圧入し、圧入後は、多少の遊びの隙間を有し、指圧突起３が指圧突起収容体２の中で動くように掴持されていることを特徴とする浴槽指圧具。
【請求項２】
指圧突起３は、本体の長手方向の中心を挟んで対に複数列、複数個を有することを特徴とした請求項１の浴槽指圧具。
【請求項３】
本考案の本体１の固定は、浴槽の壁面に吸盤で吸着当着し、本体１の平面または凹面は、本体支持脚４により上下、左右に追動することを特徴とした請求項１及び請求項２の浴槽指圧具。
【考案の詳細な説明】
【技術分野】
【０００１】  本考案は、入浴時において、浴槽内に於いて使用する指圧具に関するものである。
【背景技術】
【０００２】  従来、指圧を施す場合には、一般的には水中では行っていなかった。しかし昨今、入浴時、すなわち身体が柔らかくなり、血液の循環がよくなったときに指圧をほどこすことにより、温熱効果との相乗効果を狙った各種の入浴時指圧具が発明考案されている。（実用新案登録第３０８００１０号，同３０６４３０４など）【０００３】  また、その他にも指圧具を浴槽の足方向の内壁面に１個程度取り付けて使用するものもある。（実用新案登録第３０４５３６９号，同第３０３２７７０号，同第３０６８７５７号など）【０００４】  他にも首の部分を指圧する指圧具も開発されいてるが、いずれもその効果としては、疑問があった。（実用新案登録第３０１８４９０号，同第３０１８５７０号など）
【特許文献１】実用新案登録第３０８００１０号
【特許文献２】実用新案登録第３０６４３０４号
【特許文献３】実用新案登録第３０４５３６９号
【特許文献４】実用新案登録第３０３２７７０号
【特許文献５】実用新案登録第３０６８７５７号
【特許文献６】実用新案登録第３０１８４９０号
【特許文献７】実用新案登録第３０１８５７０号
【考案の開示】
【考案が解決しようとする課題】
【０００５】  本考案は、上記従来の公開技術のさまざまな欠点を鑑み、足裏、首筋だけの指圧用具ではなく、指圧効果を最大限発揮できる背筋すなわち、脊椎を中心とした左右の対に配する筋肉、例えば頚半板筋、最長筋、棘筋（きょくきん）などの筋肉が温熱効果によって柔らかくなった筋肉に指圧を施す指圧具を課題とするものである。【０００６】  また、従来の先行技術の取り付け方法や使用法についても改善点を見出し、より簡単でしかも効果的な取り付け方法を課題とした。
【課題を解決するための手段】
【０００７】  本考案は、上記課題を解決するため、次のような構成の指圧具を提供する。
先行技術の殆どの指圧具は、風呂の縁に載置して使用するものが多く見られる（実用新案登録第３０８００１０号、同第３０１８４９０号、同第３０１８５７０号など）が、本考案では、浴槽の壁面に吸盤を用いて吸着当着し、上下左右に追動する方法とした。【０００８】  次に、本考案は、図１に示すように本体１に指圧突起収容体２に指圧突起３を圧入した指圧突起部を長手方向に２列に対になるように複数個列設する。【０００９】  図５に示すように、指圧突起３は惰球の形成を有し、指圧突起収容体２に圧入するが、圧入後は、多少の遊びの隙間を有し、指圧突起３が指圧突起収容体２の中で動くように掴持する。【００１０】  また、図８，図９に示すように本体１は、上下、左右に首が振れるように枢着した。【００１１】  さらに、図７に示すように、本体１は、本体支持脚伸縮固定筒体６により、浴槽の壁面からの長さの調節ができるようにした。
【考案の効果】
【００１２】  本考案の最大の特徴である浴槽内にて頚半板筋、最長筋、棘筋（きょくきん）などの筋肉が温熱効果によって柔らかくなった筋肉に指圧を施すため指圧の効果は、普通の指圧の数倍の効果がある。【００１３】  本考案の指圧突起３が惰球になっているため、皮膚との接触部がやわらかくやさしい。【００１４】  本考案の指圧突起３が指圧突起収容体２の中で自在に遊動するため指圧効果が増大する。【００１５】  本考案の指圧突起３が立て方向に脊髄を挟んで対に２列あるため、指圧効果がより一層増大する。【００１６】  本考案の保持方法が浴槽の壁面に吸盤を用いて保持されるため、軽便で取り外し、取り付けが容易である。
【考案を実施するための最良の形態】
【００１７】  本考案の実施の形態を図面を用いて説明する。
本考案の本体１及び指圧突起収容体２は、合成樹脂で一体抽出成型にて実施する。【００１８】  次に指圧突起３も本体同様に合成樹脂により抽出成型で実施する。この場合、この指圧突起３は、中を中空にしない。【００１９】  上記の指圧突起３を指圧突起収容体２に圧入する。【００２０】    最後に、本体１に、本体支持脚４，吸盤５を取り付けて完成させる。
【実施例１】
【００２１】  図６，図７，図８に示す本体支持脚４は、図１１に示す本体支持脚ｂ９の形状で成型成形してもよい。
【実施例２】
【００２２】  図６，図７，図８に示す本体支持脚４及び、図１１に示す本体支持脚ｂ９は、図１７に示すように球体を使用してもよい。
【実施例３】
【００２３】  本考案の本体１は、指圧部に密着が良いように図１８に示すように凹形の形状にすることも可能である。
【実施例４】
【００２４】  また、指圧突起３は、合成樹脂だけでなく、ガラスの惰球や陶磁器（陶器）又は木製の惰球に防水塗料で仕上げた惰球を使用してもよい。
【実施例３】
【００２５】  さらに、指圧突起３は穴あき中空に成型成形し、温水の浄水、殺菌、脱臭の効果を発揮させるため、中空部に木炭やトルマリン石を封入すこともできる。
【図面の簡単な説明】
【００２６】
【図１】本考案の平面図
【図２】本考案の背面図
【図３】本考案の斜視図
【図４】本考案の側面図
【図５】本考案のＡ−Ａ’断面図
【図６】本考案の支持部詳細図
【図７】本考案の支持部伸縮可動詳細図
【図８】本考案の支持部上下可動詳細図Ａ
【図９】本考案の支持部上下可動詳細図Ｂ
【図１０】本考案の実施例１の側面図
【図１１】本考案の実施例１の上下可動の図
【図１２】本考案の実施例１の上から見た図
【図１３】本考案の実施例１の背面図
【図１４】本考案を浴槽に取り付けた図
【図１５】本考案を浴槽に取り付けた図の断面図
【図１６】本考案の使用図
【図１７】本体支持部の実施例１の概略図
【図１８】実施例３の凹形状の本体１の斜視図
【符号の説明】
【００２７】１．本体
２．指圧突起収容体
３．指圧突起
４．本体支持脚
５．吸盤
６．本体支持脚伸縮固定筒体
７．本体支持脚支持体
８．本体支持脚支持体ｂ
９．本体支持脚ｂ
１０．浴槽
Ｌ１．支持脚伸縮の幅
【図１】
0003119034.tif 000003
【図２】
0003119034.tif 000004
【図３】
0003119034.tif 000005
【図４】
0003119034.tif 000006
【図５】
0003119034.tif 000007
【図６】
0003119034.tif 000008
【図７】
0003119034.tif 000009
【図８】
0003119034.tif 000010
【図９】
0003119034.tif 000011
【図１０】
0003119034.tif 000012
【図１１】
0003119034.tif 000013
【図１２】
0003119034.tif 000014
【図１３】
0003119034.tif 000015
【図１４】
0003119034.tif 000016
【図１５】
0003119034.tif 000017
【図１６】
0003119034.tif 000018
【図１７】
0003119034.tif 000019
【図１８】
0003119034.tif 000020